(57)【要約】      （修正有）【課題】新規なセラミック製時計バンドを提供する。【解決手段】セラミック製バンド駒１０は、セラミック製の中駒２０と、その両側に略Ｙ字形に取り付けるセラミック製の外駒３０と備える。また、中駒２０の幅方向へ貫通する中駒貫通孔に挿通するパイプ材４０と、外駒３０の幅方向へ貫通し中駒貫通孔に連接する外駒貫通孔３１に挿入して、パイプ材４０の両端に設けられた雌ネジ部４１に螺合する雄ネジ材５０とを備える。【選択図】図１
0003156406.tif 000002
【実用新案登録請求の範囲】
【請求項１】
時計バンドを構成するセラミック製バンド駒であって、
当該バンド駒は、セラミック製の中駒と、
中駒の両側に略Ｙ字形に取り付けるセラミック製の外駒と、
中駒及びその両端に取り付けた外駒を連通する貫通孔へ挿通する断面非真円状のパイプ材と、
外駒に形成された貫通孔へ挿入して、パイプ材の両端に設けられた雌ネジ部に螺合する雄ネジ材とを備え、
外駒又は／及び中駒に形成された貫通孔の内壁断面をパイプ材の外周断面形状に合致させることを特徴とするセラミック製バンド駒。
【請求項２】
パイプ材は、外周断面に非湾曲部を備えたことを特徴とする請求項１記載のセラミック製バンド駒。
【請求項３】
外駒は、貫通孔の中駒側内壁断面をパイプ材の外周断面形状に合致させるとともに、貫通孔の反中駒側内壁断面を雄ネジ材のネジ頭断面形状に合致させることを特徴とする請求項１又は２記載のセラミック製バンド駒。
【請求項４】
請求項１から３のいずれかに記載のセラミック製バンド駒を連結した時計バンド。
【請求項５】
請求項４記載の時計バンドを備えた腕時計。
【考案の詳細な説明】
【技術分野】
【０００１】
本願考案は、時計バンドを構成するセラミック製バンド駒に関するものである。
【背景技術】
【０００２】
時計バンドは、従来より皮革製、金属製又は合成樹脂製のものがほとんどであった。そうした中でセラミックを使用した時計バンドとしては、特許文献１に記載のものが挙げられる。特許文献１に記載された時計バンドは、上面部及びこの上面部の端部より垂下する側面部を高硬度のセラミック材にて一体に成型してなる外駒体と、この外駒体の前記上面部と側面部の内面に接するように配設される補強用駒体とから構成したことを特徴とするものである。
【先行技術文献】
【特許文献】
【０００３】
【特許文献１】実開昭６３−１９７４０９号公報
【考案の概要】
【考案が解決しようとする課題】
【０００４】
本願考案者は、新規なセラミック製時計バンドの提供を目的として種々研究・開発し、本願考案を完成するに至った。
【課題を解決するための手段】
【０００５】
上記目的を達成するために、第１の考案は、時計バンドを構成するセラミック製バンド駒であって、当該バンド駒は、セラミック製の中駒と、中駒の両側に略Ｙ字形に取り付けるセラミック製の外駒と、中駒及びその両端に取り付けた外駒を連通する貫通孔へ挿通する断面非真円状のパイプ材と、外駒に形成された貫通孔へ挿入して、パイプ材の両端に設けられた雌ネジ部に螺合する雄ネジ材とを備え、外駒又は／及び中駒に形成された貫通孔の内壁断面をパイプ材の外周断面形状に合致させることを特徴とするものである。
第２の考案は、パイプ材が、外周断面に非湾曲部を備えたことを特徴とする同セラミック製バンド駒である。
第３の考案は、外駒が、貫通孔の中駒側内壁断面をパイプ材の外周断面形状に合致させるとともに、貫通孔の反中駒側内壁断面を雄ネジ材のネジ頭断面形状に合致させることを特徴とする同セラミック製バンド駒である。
第４の考案は、第１から第３のセラミック製バンド駒を連結した時計バンドである。
第５の考案は、第４の時計バンドを備えた腕時計である。
【考案の効果】
【０００６】
本願考案によれば、以下のような効果を有する。
（１）外駒又は／及び中駒に形成された貫通孔の内壁断面をパイプ材の外周断面形状に合致させたことで、パイプ材の両端に雄ネジ材を螺合させる場合に、断面非真円状のパイプ材は貫通孔内を回転（空回り）することなく雄ネジ材をパイプ材の雌ネジ部に螺合でき、雄ネジ材の締め付けを容易且つ確実に行える。
（２）すなわち、パイプ材が通常の真円で、貫通孔の内壁断面もこれに合致する真円形状である場合は、パイプ材の両端に雄ネジ材を螺合させると断面非真円状のパイプ材は貫通孔内を回転（空回り）してしまう。このため、回転（空回り）を止めるために反対側からドライバー等でパイプ材を押される必要があった。
（３）また、外駒及び中駒はセラミック製であり、インジェクションで焼き固めるため、ドリルによる穿孔工程では難しい非真円状の穿孔も簡単に形成できる。
（４）パイプ材が外周断面に非湾曲部を備える断面非真円状であることで、これと合致する外駒又は／及び中駒に形成された貫通孔の内壁断面と相俟って、雄ネジ材の締め付けによるパイプ材の回転（空回り）を確実に防止することができる。
（５）外駒が貫通孔の中駒側内壁断面をパイプ材の外周断面形状に合致させるとともに、貫通孔の反中駒側内壁断面を雄ネジ材のネジ頭断面形状に合致させることで、パイプ材の回転（空回り）を防止できるだけでなく、雄ネジ材のネジ頭を外駒に形成された貫通孔内に埋め込むことができる。これにより、雄ネジ材が外駒から突出せずに安全であり、またデザイン的にも優れたものになる。
【図面の簡単な説明】
【０００７】
【図１】本願考案に係るセラミック製バンド駒を示す分解斜視図。
【図２】本願考案に係るセラミック製バンド駒の連結状態を示す説明用平面図。
【考案を実施するための形態】
【０００８】
本願考案の実施形態を図面に基づいて説明する。
図１は、本願考案に係るセラミック製バンド駒を示す分解斜視図である。
図１に示すように、セラミック製バンド駒１０は、セラミック製の中駒２０と、その両側に略Ｙ字形に取り付けるセラミック製の外駒３０と備える。また、中駒２０の幅方向へ貫通する中駒貫通孔２１に挿通する断面非真円状のパイプ材４０と、外駒３０の幅方向へ貫通し中駒貫通孔２１に連接する外駒貫通孔３１に挿入して、パイプ材４０の両端に設けられた雌ネジ部４１に螺合する雄ネジ材５０とを備える。
【０００９】
そして、雄ネジ材５０は、パイプ材４０の雌ネジ部４１に螺合する雄ネジ部５１とともに、ネジ頭５２を備える。なお、ネジ頭５２は、鏡面仕上げされたものであってもよい。
また、パイプ材４０は、外周断面に非湾曲部４２を備えるとともに、外駒貫通孔３１の中駒２０側内壁断面をパイプ材４０の外周断面形状に合致させる。こうすることで、パイプ材４０の両端に雄ネジ材５０を螺合させる場合に、断面非真円状のパイプ材４０は貫通孔２１，３１内を回転（空回り）することなく雄ネジ材５０をパイプ材４０の雌ネジ部４１に螺合でき、雄ネジ材５０の締め付けを容易且つ確実に行える。
【００１０】
図２は、本願考案に係るセラミック製バンド駒の連結状態を示す説明用平面図である。
図２に示すように、略Ｙ字形のセラミック製バンド駒１０は凸部１１を隣り合うバンド駒１０の凹部１２に組合せて連結する。凸部１１には中駒２０の幅方向へ貫通する中駒ピン孔２２を備えるとともに、凹部１２には外駒３０の幅方向へ穿孔する外駒ピン孔３２を備える。そして、この中駒２２と外駒３２，３２に連結ピン６０を挿通することで、隣り合うセラミック製バンド駒１０どうしの連結状態が維持される。
【産業上の利用可能性】
【００１１】
本願考案に係るセラミック製バンド駒は、時計バンドを構成するバンド駒として広く利用することができる。
【符号の説明】
【００１２】
１０  セラミック製バンド駒（バンド駒）
１１  凸部
１２  凹部
２０  中駒
２１  中駒貫通孔
２２  中駒第２貫通孔
３０  外駒
３１  外駒貫通孔
３２  外駒ピン孔
４０  パイプ材
４１  雌ネジ部
５０  雄ネジ材
５１  雄ネジ部
５２  ネジ頭
６０  連結ピン
【図１】
0003156406.tif 000003
【図２】
0003156406.tif 000004